【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
設定された画像処理パラメータを用いて画像に画像処理を実行する前と該画像処理パラメータを用いて前記画像に画像処理を実行した場合の前記画像の変化内容を可視的に示す可視化画像を生成する生成手段と、
前記画像処理パラメータと前記生成手段で生成された可視化画像とを関連付けて記憶手段に記録する記録制御手段とを備えることを特徴とする情報処理装置。
【請求項２】
設定された画像処理パラメータを用いて画像に画像処理を実行して結果画像を生成する処理手段と、
前記画像処理パラメータに関連付けて、該画像処理パラメータを用いて前記画像に画像処理を実行する前と前記結果画像との前記画像の変化内容を記憶手段に記録する記録制御手段とを備えることを特徴とする情報処理装置。
【請求項３】
設定された画像処理パラメータに基づいて該画像処理パラメータを用いた場合の画像の変化内容を可視的に示す可視化画像を生成する生成手段と、
前記画像処理パラメータと前記生成手段で生成された可視化画像を所定のフォーマットで記録した１つのファイルを生成して記憶手段に記録する記録制御手段とを備えることを特徴とする情報処理装置。
【請求項４】
設定された画像処理パラメータと、該画像処理パラメータを用いた場合の画像の変化内容を可視的に示すための画像と、を関連付けて記憶手段に記録する記録制御手段と、
前記記憶手段に関連付けて記録された前記画像と前記画像処理パラメータに基づいて、該画像に該画像処理パラメータを用いる前と該画像に該画像処理パラメータを用いた場合の前記画像の変化内容を表示装置に表示する表示制御手段とを備えることを特徴とする情報処理装置。
【請求項５】
前記記憶手段に記録された可視化画像を表示する表示手段と、
前記表示手段で表示された可視化画像より選択された可視化画像に関連付けられている画像処理パラメータを取得する取得手段と、
前記取得手段で取得された画像処理パラメータを用いて任意の画像を処理する処理手段とを更に備えることを特徴とする請求項１に記載の情報処理装置。
【請求項６】
前記画像処理パラメータは色変換処理のためのパラメータであり、
前記生成手段は、前記画像処理パラメータを用いて色変換処理を実行した場合の色の変化を表色系モデルを用いて表した画像を前記可視化画像として生成することを特徴とする請求項１，３，５のいずれか１項に記載の情報処理装置。
【請求項７】
前記画像処理パラメータは変換元画像及び変換目標画像の２つの画像に基づいて取得されたものであり、
前記生成手段は、前記２つの画像の夫々の画像を用いて前記可視化画像を生成することを特徴とする請求項１または３に記載の情報処理装置。
【請求項８】
前記生成手段は、前記変換元画像及び変換目標画像の夫々の縮小画像を並べた前記可視化画像を生成することを特徴とする請求項７に記載の情報処理装置。
【請求項９】
前記生成手段は、前記画像処理パラメータを用いた画像処理前後の画像の夫々の縮小画像を並べた画像を用いて前記可視化画像を生成することを特徴とする請求項１，３，５の何れか１項に記載の情報処理装置。
【請求項１０】
前記記録制御手段は、前記画像処理パラメータを前記可視化画像データを特定する情報とともに記録したファイルを生成し、前記記憶手段に記録することを特徴とする請求項１または５に記載の情報処理装置。
【請求項１１】
設定された画像処理パラメータを用いて画像に画像処理を実行する前と該画像処理パラメータを用いて前記画像に画像処理を実行した場合の前記画像の変化内容を可視的に示す可視化画像を生成する生成工程と、
前記画像処理パラメータと前記生成工程で生成された可視化画像とを関連付けて記憶手段に記録する記録制御工程とを備えることを特徴とする情報処理方法。
【請求項１２】
設定された画像処理パラメータを用いて画像に画像処理を実行して結果画像を生成する処理工程と、
前記画像処理パラメータに関連付けて、該画像処理パラメータを用いて前記画像に画像処理を実行する前と前記結果画像との前記画像の変化内容を記憶手段に記録する記録制御工程とを備えることを特徴とする情報処理方法。
【請求項１３】
設定された画像処理パラメータに基づいて該画像処理パラメータを用いた場合の画像の変化内容を可視的に示す可視化画像を生成する生成工程と、
前記画像処理パラメータと前記生成工程で生成された可視化画像を所定のフォーマットで記録した１つのファイルを生成して記憶手段に記録する記録制御工程とを備えることを特徴とする情報処理方法。
【請求項１４】
設定された画像処理パラメータと該画像処理パラメータを用いた場合の画像の変化内容を可視的に示すための画像とを関連付けて記憶手段に記録する記録制御工程と、
前記記憶手段に関連付けて記録された前記画像と前記画像処理パラメータに基づいて、該画像に該画像処理パラメータを用いる前と該画像に該画像処理パラメータを用いた場合の前記画像の変化内容を表示装置に表示する表示制御工程とを備えることを特徴とする情報処理方法。
【手続補正２】
【補正対象書類名】明細書
【補正対象項目名】０００８
【補正方法】変更
【補正の内容】
【０００８】
上記の目的を達成するための本発明による情報処理装置は以下の構成を備える。すなわち、
設定された画像処理パラメータを用いて画像に画像処理を実行する前と該画像処理パラメータを用いて前記画像に画像処理を実行した場合の前記画像の変化内容を可視的に示す可視化画像を生成する生成手段と、
前記画像処理パラメータと前記生成手段で生成された可視化画像とを関連付けて記憶手段に記録する記録制御手段とを備える。
また、上記の目的を達成するための本発明の他の態様による情報処理装置は、
設定された画像処理パラメータを用いて画像に画像処理を実行して結果画像を生成する処理手段と、
前記画像処理パラメータに関連付けて、該画像処理パラメータを用いて前記画像に画像処理を実行する前と前記結果画像との前記画像の変化内容を記憶手段に記録する記録制御手段とを備える。
また、上記の目的を達成するための本発明の他の態様による情報処理装置は、
設定された画像処理パラメータに基づいて該画像処理パラメータを用いた場合の画像の変化内容を可視的に示す可視化画像を生成する生成手段と、
前記画像処理パラメータと前記生成手段で生成された可視化画像を所定のフォーマットで記録した１つのファイルを生成して記憶手段に記録する記録制御手段とを備える。
更に、上記の目的を達成するための本発明の他の態様による情報処理装置は、
設定された画像処理パラメータと、該画像処理パラメータを用いた場合の画像の変化内容を可視的に示すための画像と、を関連付けて記憶手段に記録する記録制御手段と、
前記記憶手段に関連付けて記録された前記画像と前記画像処理パラメータに基づいて、該画像に該画像処理パラメータを用いる前と該画像に該画像処理パラメータを用いた場合の前記画像の変化内容を表示装置に表示する表示制御手段とを備える。
【手続補正３】
【補正対象書類名】明細書
【補正対象項目名】０００９
【補正方法】変更
【補正の内容】
【０００９】
また、上記の目的を達成するための本発明の他の態様による情報処理方法は、
設定された画像処理パラメータを用いて画像に画像処理を実行する前と該画像処理パラメータを用いて前記画像に画像処理を実行した場合の前記画像の変化内容を可視的に示す可視化画像を生成する生成工程と、
前記画像処理パラメータと前記生成工程で生成された可視化画像とを関連付けて記憶手段に記録する記録制御工程とを備える。
また、上記の目的を達成するための本発明の他の態様による情報処理方法は、
設定された画像処理パラメータを用いて画像に画像処理を実行して結果画像を生成する処理工程と、
前記画像処理パラメータに関連付けて、該画像処理パラメータを用いて前記画像に画像処理を実行する前と前記結果画像との前記画像の変化内容を記憶手段に記録する記録制御工程とを備える。
また、上記の目的を達成するための本発明の他の態様による情報処理方法は、
設定された画像処理パラメータに基づいて該画像処理パラメータを用いた場合の画像の変化内容を可視的に示す可視化画像を生成する生成工程と、
前記画像処理パラメータと前記生成工程で生成された可視化画像を所定のフォーマットで記録した１つのファイルを生成して記憶手段に記録する記録制御工程とを備える。
更に、上記の目的を達成するための本発明の他の態様による情報処理方法は、
設定された画像処理パラメータと該画像処理パラメータを用いた場合の画像の変化内容を可視的に示すための画像とを関連付けて記憶手段に記録する記録制御工程と、
前記記憶手段に関連付けて記録された前記画像と前記画像処理パラメータに基づいて、該画像に該画像処理パラメータを用いる前と該画像に該画像処理パラメータを用いた場合の前記画像の変化内容を表示装置に表示する表示制御工程とを備える。